(57)【特許請求の範囲】
【請求項１】
固定トレイと、
前記固定トレイに対してスライド可能に取り付けられ、導光体を備えるスライドトレイと、
前記固定トレイに固定されるＬＥＤ光源と、
前記スライドトレイの導光体内に形成される第１の反射面及び第２の反射面と、を備え、
前記第１の反射面は前記導光体の端部に配置され、該スライドトレイが引き出された使用状態のときに前記ＬＥＤ光源の光が照射する位置に設けられ、該ＬＥＤ光源の光を反射して前記導光体へと導入し、該スライドトレイの前面側より発光させ、
前記第２の反射面は前記スライドトレイが収納された状態のときに前記ＬＥＤ光源の光が照射する位置に設けられ、該ＬＥＤ光源の光を反射して前記導光体へと導入し、該スライドトレイの前面側より発光させる、
ことを特徴とするスライド式収納装置。
【請求項２】
前記スライドトレイが前記使用状態まで移動する途中においては、前記ＬＥＤ光源の光が前記導光体に実質的に導光しない、請求項１に記載のスライド式収納装置。
【発明の詳細な説明】
【０００１】
【産業上の利用分野】
本発明は、照明機能を備えたスライド式収納装置に関する。本発明は、車両等のカップホルダ、小物入れ等として利用することができる。
【０００２】
【従来の技術】
自動車のセンターコンソールに設置されるカップホルダや小物入れ等を照明することにより、これらに保持ないしは収納されたドリンク等の視認性を高める試みがなされている。例えば、カップホルダを導光体により形成し、該導光体に光源からの光を導入することにより、カップホルダ自体を発光させてカップホルダあるいはカップホルダに保持されたドリンクの視認性を高める方法（実開平５−９３９７３号公報）が提案されている。この方法では、カップホルダの所望位置（光導入部）に光源からの光が照射するように光源の位置が固定される。
【０００３】
【発明が解決しようとする課題】
一方、カップホルダ等の収納部（スライドトレイ）をスライド式とし、平常時にはスライドトレイが固定トレイに格納され、使用時にスライドトレイを前面側に引き出して使用するスライド式収納装置が知られている。
ところが、このようなスライド式収納装置に対して上記従来技術を適用しようとすれば、スライドトレイに設けた光導入部に光源からの光を照射する必要があり、光源をスライドトレイ側、即ち可動側に固定することとなる。そのため、可動側（スライドトレイ）と固定側（固定トレイ）との間を導通させる手段が必要となり、複雑な構成となる。また、このような導通手段を設けることは、スライドトレイが頻繁にスライドされることを考慮すれば、照明機能の安定性及び耐久性の面から好ましくない。さらに、使用状態、即ちスライドトレイが引き出された状態においてのみスライドトレイを照明しその視認性を高めようとすれば、スライドトレイを引き出す動作に連動させて光源のオンオフを制御する必要があり、回路構成が複雑となる。
本発明は以上の課題に鑑みなされたものであり、簡易な構成により、スライド式の収納部（スライドトレイ）を照明しその視認性を高めることが可能なスライド式収納装置を提供することを目的とする。また、照明効果ないしは意匠性の高いスライド式収納装置を提供することを目的とする。
【０００４】
【課題を解決するための手段】
本発明は以上の目的を達成すべくなされたものであり、次の構成からなる。
固定トレイと、
前記固定トレイに対してスライド可能に取り付けられ、導光体を備えるスライドトレイと、
前記固定トレイに固定される光源と、
前記スライドトレイに設けられる反射面であって、前記スライドトレイが引き出されて使用状態にあるときに、前記光源の光を反射して前記導光体へと導入する反射面と、を備えるスライド式収納装置。
【０００５】
かかる構成によれば、スライドトレイを引き出して使用状態としたときに、光源からの光が反射面に反射されてスライドトレイに備えられた導光体へと導入される。導入された光は反射を繰り返しながら導光体内を進み、その過程で一部の光が導光体表面より放射される。その結果、導光体表面が発光し、スライドトレイの視認性が高められる。これにより、スライドトレイの操作性が向上する。また、使用状態においてスライドトレイが発光するといった照明効果が奏され、意匠性の向上も図られる。
ここで、光源が固定トレイに固定されているため、スライドトレイを引き出して使用状態とする際に光源が移動せず、従って可動側（スライドトレイ）と固定側（固定トレイ）とを導通する手段が不要となり、光源へ電力を供給するための構成が簡略化される。また、可動側と固定側との間に導通手段が不要なことから、安定して光源へ電力を供給でき、信頼性及び耐久性の向上も図られる。
【０００６】
固定トレイは、スライド式収納装置を設置する際に設置箇所に固定される部材であって、スライドトレイを格納するための格納部を備える。格納部を複数備えていても良い。この場合には、異なる種類のスライドトレイを収納できるように各格納部の大きさ、形状等を異なるものとすることができる。
【０００７】
スライドトレイには、一部（例えば上部）が開口された箱状のトレイであってそれ自体で小物などを収納可能な収納部を構成するものの他、カップホルダなどが固定されて使用される、例えば枠状の部材も含まれる。
【０００８】
スライドトレイは少なくともその一部が導光体により形成される。全体を導光体により形成してもよい。導光体の材料としては、ＰＣ（ポリカーボネート樹脂）、アクリル樹脂、シリコン樹脂などを用いることができる。
スライドトレイにカップホルダを取り付けて使用する場合においては、カップホルダの一部又は全部を導光体により形成してもよい。このようにすれば、後述の光源からの光をカップホルダ部分にも導入し、カップホルダを発光させることも可能となる。
【０００９】
導光体を着色し、光源からの光の色を導光体内で変換させることもできる。例えば、導光体に着色剤を混ぜ込むことができる。また、導光体表面に着色層を設けることもできる。
導光体に光源からの光を受けて発光可能な蛍光体を含有させて発光色の変換、補正等を行うこともできる。さらには、導光体内での光の拡散を促進すべく導光体に光拡散剤を含有させることができる。光拡散剤としては、例えば酸化チタン等を用いることができる。
【００１０】
スライドトレイには反射面（本明細書において、「第１の反射面」ともいう）が設けられる。この反射面は、スライドトレイを引き出して使用状態としたときに後述の光源の光を反射して導光体へと導入することができる位置に形成される。例えば、スライドトレイが引き出されて使用状態にあるときに固定トレイ内に位置する、スライドトレイの端部に反射面を設けることができる。このようにすれば、固定トレイ内において、光源からの光を反射面に照射し、反射させることができる。従って、光源及び反射面が外部より直接視認されることによる意匠性の低下を防止することができる。
【００１１】
反射面は、例えば導光体の一部を所望の角度となるようにカッティングし、カッティング面に光反射処理を施すことにより形成することができる。このようにすれば、簡単な構成により反射面を設けることができる。勿論、予め所望の角度の面が形成されるような型成形によりスライドトレイを作製することによっても反射面を形成できる。
光反射処理としては、例えば、光反射性のインク（例えば、白色系のインク）を用いた印刷、蒸着、スパッタリング、又は光反射率の高いテープ（白色テープ等）の貼着などを利用することができる。また、エッチング、サンドブラスト、放電加工等の粗面化処理を用いてもよい。
【００１２】
スライドトレイが使用状態まで移動する途中において、導光体に光源からの光が実質的に導光しない構成とすることが好ましい。このようにすれば、スライドトレイを引き出して使用状態としたときに初めて導光体内に光源からの光が導入され、導光体が発光する。従って、使用状態になると突然スライドトレイが発光することとなり効果的な照明が行える。また、意外性を演出することができる。例えば、スライド途中においては光源からの光が導光体を透過するように、光源の光軸と、スライド途中に光軸上を通過する導光体の表面との角度を一定範囲に設定する。例えば、両者が垂直をなすように設定すればよい。一方、スライド途中に光源の光が照射することとなる導光体の表面にマスキング処理を施すなどして光を遮蔽し、スライド途中における導光体への光の入射を防いでもよい。以上のような構成によれば、光源を常時点灯させていたとしてもスライド途中に光源からの光が導光体に導光することを防止できる。従って、上記の照明効果を奏するために、スライドトレイの移動に同調させて光源の点灯状態を制御する必要がなく、回路構成を簡略化することができるといった利点もある。
【００１３】
スライドトレイが固定トレイに格納された状態（格納状態）のときに光源の光が照射する位置に第２の反射面を設け、当該第２の反射面に反射された光がスライドトレイの前面側より発光するように構成することができる。このようにすれば、格納状態においても特有の照明態様（発光態様）によりスライドトレイの視認性、意匠性を向上することができる。また、スライドトレイの格納状態と使用状態との間を照明態様（発光状態）により明確に区別することができ、操作性の向上も期待できる。ここで、スライドトレイの前面から発光する光を所望の文字、形状等を表示することに利用できる。例えば、スライドトレイの前面の一部に所望の文字、形状等が打ち抜き的に形成されるようにマスキング処理を施し、所望の文字等を発光表示することができる。また、所望の文字等が打ち抜き的に形成された意匠カバーをスライドトレイの前面に被せることによっても同様の発光表示を行える。
第２の反射面に光を照射する光源として、上記第１の反射面に光を照射する光源を利用することが好ましい。光源を別途用意する必要がなくなり、収納装置全体の構成を簡略化できるからである。但し、第２の反射面用に別個の光源を備えることもできる。
【００１４】
光源の数は特に限定されず、光源の出力、必要とされる光量、スライドトレイの大きさ等を考慮して適宜設定することができる。
光源の種類も特に限定されず、バルブ、ＬＥＤ等を用いることができる。特に、レンズを有したＬＥＤ等の指向性の高い光源を用いることが好ましい。指向性の高い光源を採用すれば必要な範囲にのみ光を照射することができることから、上記の反射面に効率的に光を照射し、導光体内への光の導入効率を向上することができることに加えて、意図しない光の漏洩を防止することができる。尚、ＬＥＤは小型である点、消費電力が小さい点、長寿命である点、放熱量が小さい点等の利点も併せ持つ。使用し得るＬＥＤのタイプは特に限定されず、砲弾型、ＳＭＤタイプ等、公知のものを適宜選択して用いることができる。
【００１５】
以下の本発明の第２の局面では、収納部としてカップホルダトレイを採用する場合に特に好適である構成が提供される。即ち、固定トレイと、
前記固定トレイに対してスライド可能に取り付けられるカップホルダトレイと、
前記固定トレイに固定される光源と、
前記カップホルダトレイ内に備えられる第１の導光体であって、前記カップホルダが引き出された使用状態にあるときに、その一端側から前記光源の光を導入し且つ導入光を前記カップホルダトレイのホルダ部方向に外部放射する第１の導光体と、
を備えるスライド式収納装置である。
【００１６】
かかる構成によれば、カップホルダトレイを引き出して使用状態としたときに、光源からの光が第１の導光体に導入し、そして導入光はカップホルダトレイのホルダ部方向に外部放射される。その結果、この外部放射された光によってホルダ部が照明されその視認性が高められる。また、ホルダ部にPETボトルやガラスなど光を透過可能な材質からなる容器が収納されている場合には、第１の導光体から外部放射された光を当該容器に照射することができ、もって当該容器の視認性が向上し、更には当該容器を介した光が観察されることによる装飾的効果も得られる。加えて、光源が固定トレイに固定されているため、カップホルダトレイを引き出して使用状態とする際に光源が移動せず、従って可動側（カップホルダトレイ）と固定側（固定トレイ）とを導通する手段が不要となり、光源へ電力を供給するための構成が簡略化される。また、可動側と固定側との間に導通手段が不要なことから、安定して光源へ電力を供給でき、信頼性及び耐久性の向上も図られる。
尚、本発明の第２の局面において特に説明ないしは限定のない部材（固定トレイや光源など）ついては既述の構成と同様である。
【００１７】
以上の構成において、光源の光の照射によって特有の装飾的効果が得られるようにカップホルダトレイのホルダ部に蛍光材料を含有させたり、その表面に蛍光塗料や蛍光シールによる蛍光層を形成したりしてもよい。このように構成することで蛍光作用を利用した装飾的効果が得られ演出性の高い照明を行うことができる。また、カップ部の視認性も向上する。このような蛍光材料の含有等は、光源の光が照射する領域（例えばホルダ部の下部）のみに行ってもよい。
一方、ホルダ部の一部又は全部を導光体によって形成し、導光作用を利用して装飾的効果を得ることもできる。この場合においてもホルダ部に蛍光体を含有させたり、蛍光体層を形成したりしてもよい。即ち、例えばホルダ部の一部を蛍光体含有の導光体で形成することができる。このようにすれば照射光がホルダ部の当該領域に取り込まれ、導光作用によって拡散しつつ、蛍光体による蛍光が生ずる。その結果、ホルダ部の広い範囲から均一化された蛍光が発せられ、装飾的効果の高い照明態様が得られる。
【００１８】
カップホルダトレイ内に備えられる第１の導光体への光の導入を、反射面（第１の反射面）を介して行うこともできる。即ち、カップホルダトレイが使用状態にあるときに光源の光を反射して第１の導光体へと導入する反射面をカップホルダトレイが備える構成としてもよい。かかる構成では反射面を利用した光の導入が行われることから、導光体の配置及び／又は形状などについての設計自由度が高くなる。
ここでの第１の反射面は、例えば第１の導光体の一部を所望の角度となるようにカッティングし、カッティング面に光反射処理を施すことにより形成することができる。このようにすれば簡単な構成により反射面を設けることができる。光反射処理としては、例えば、光反射性のインク（例えば、白色系のインク）を用いた印刷、蒸着、スパッタリング、又は光反射率の高いテープ（白色テープ等）の貼着などを利用することができる。また、エッチング、サンドブラスト、放電加工等の粗面化処理を用いてもよい。
【００１９】
カップホルダトレイが固定トレイに格納された状態にあるときにその一端側から光源の光を導入し且つ導入光をカップホルダトレイの前面から外部放射する導光体（第２の導光体）をカップホルダトレイが備えていることが好ましい。かかる構成では、カップホルダトレイが格納状態のときに光源からの光が第２の導光体に導入し、そして導入光はカップホルダトレイの前面から外部放射される。この外部放射光によってカップホルダトレイが使用状態のときとは異なった態様の発光ないし照明が行われ、スライド式収納装置の視認性及び意匠性が高められる。例えば、カップホルダトレイを格納状態から使用状態へと変更するためのロック解除ボタン（例えば当該ボタンを第２の導光体の一部として構成する）あるいはその周囲からこの第２の導光体を介した外部放射がなされるように構成することができる。このようにすれば、ロック解除ボタンが光によって表示あるいは照明されることとなり、その操作性が向上する。
一方、第２の導光体を介して外部放射される光を所望の文字、形状等を表示することに利用することもできる。例えば第２の導光体を介した光が照射する位置に所望の文字、形状等が打ち抜き的に形成された意匠カバーなどを被せることにより、所望の文字等の形状の発光を得ることができる。尚、このような発光を上記のロック解除ボタン上に行うこともできる。
【００２０】
第２の導光体への光の導入を反射面（第２の反射面）を介して行うこともできる。即ち、カップホルダトレイが格納状態にあるときに光源の光を反射して第２の導光体へと導入する反射面をカップホルダトレイが備える構成としてもよい。かかる構成では反射面を利用した光の導入が行われることから、導光体の配置及び／又は形状などについての設計自由度が高くなる。
【００２１】
第２の導光体に光を導入する光源として、上記第１の導光体に光を導入する光源を利用することが好ましい。即ち、第１の導光体用及び第２の導光体用として共通の光源を用いることが好ましい。第２の導光体用の光源を別途用意する必要がなくなり、収納装置全体の構成を簡略化できるからである。但し、第２の導光体用の光源を別途備えることを妨げるものではない。
【００２２】
以上の第２の導光体及び第２の反射面に代えて又はこれらに加えて、カップホルダトレイが格納状態にあるときに光源の光が照射するカップホルダトレイの領域に反射面を設け、該反射面によって反射された光をカップホルダトレイの前面側に外部放射させることもできる。例えば樹脂などの材料に所望の角度の面を設け、当該面の表面に光反射性のインク、テープ、塗料などによる光反射層を設けることによって、このような反射面を形成することができる。
【００２３】
【実施例】
以下、本発明の実施例を、図面を参照しながら説明する。図１〜図５には本発明の一の実施例であるスライド式収納装置１が示される。図１は格納状態（スライドトレイ２０及び３０を格納した状態）におけるスライド式収納装置１の斜視図、図２は使用状態（スライドトレイ２０及び３０を引き出した状態）における同斜視図、図３は格納状態におけるスライドトレイ２０部分の断面図（図１のＩ−Ｉ線断面図）、図４は格納状態から使用状態への移行途中におけるスライドトレイ２０部分の断面図、図５は使用状態におけるスライドトレイ２０部分の断面図（図２のＩＩ−ＩＩ線断面図）である。スライド式収納装置１は、ドリンク類の保持及び小物類の収納用の収納装置であって、自動車のセンターコンソールに設置されて使用される。
【００２４】
図１及び図２に示されるように、スライド式収納装置１はセンターコンソールに固定される固定トレイ１０、スライドトレイ２０及び３０、並びに光源ユニット４０及び４５から構成される。
固定トレイ１０はスライドトレイ２０及び３０を格納する格納部１１、カード類やＣＤ等を収納可能な収納部１２を備え、黒色系の樹脂製である。
スライドトレイ２０及び３０は、それぞれ側面に設けられたレールを利用して固定トレイ１０にスライド可能に取り付けられる。スライドトレイ２０は小物入れ用のトレイであって、概略して中央部に凹部２１を有する形状に成型された導光体（例えば、アクリル樹脂）からなる。スライドトレイ２０の前面２２側の下面には引き出し用の凹部２７が設けられている（図３〜図５参照）。この凹部２７を利用してスライドトレイ２０の前後方向の移動が行われる。尚、スライド手段として公知のプッシュ式を採用してもよい。
スライドトレイ２０の前面２２側には光を透過しない材料（例えば黒色の樹脂）からなる意匠カバー２８が被せられている。この意匠カバー２８には、図１及び図２に示されるように所望の文字が打ち抜き的に形成されている。
【００２５】
図３〜図５に示されるように、スライドトレイ２０の一端２４には所定の傾斜角の面が形成されている。そして、当該面の表面に、貼り付け面側に金属光沢を有する光反射性のテープを貼着することにより、スライドトレイ２０の内側に対して反射性を有する反射面２５が形成されている。また、スライドトレイ２０の前面２２に近い部分にも反射性の面（第２の反射面）２６が設けられている。第２の反射面２６は、スライドトレイ２０の上面２３ｂに斜めの切れ込みを入れ、当該切れ込みに表面が光反射性の金属板を差し込むことにより形成される。勿論、反射面２５の場合と同様に光反射性のテープを用いて第２の反射面２６を形成することもできる。
【００２６】
スライドトレイ３０には、ドリンク類の保持用のカップホルダ３２が組みつけられており、スライドトレイ３０を引き出した状態においてドリンク類を貫通孔に挿入すれば、バー３５が下方へと移動してドリンク類の底部を捕らえ、同時に貫通孔の壁面によってドリンク類の側壁が支持されることによりドリンク類を保持する。スライドトレイ２０と同様に、スライドトレイ３０も光透過性の樹脂からなる。また、スライドトレイ３０の前面３３側には意匠カバー３８が被せられている。
【００２７】
光源ユニット４０及び４５はそれぞれレンズを有したＬＥＤ光源を内蔵し、固定トレイの格納部１１内の所定位置に取り付けられる。本実施例では、ＬＥＤ光源としてアンバー色の砲弾型ＬＥＤを使用している。尚、必要に応じて所望の発光色を有するＬＥＤを採用することができる。また、異なる発光色を有するＬＥＤを複数組み合わせて用いることもできる。
ＬＥＤ光源は図示しない配線により電源及び制御回路に接続され、その点灯状態が制御される。本実施例では、スモールライトのオンオフに同期してＬＥＤ光源が点灯及び消灯するようにした。エンジンの始動に同期してＬＥＤ光源を点灯させ、走行中常時ＬＥＤを点灯させておくこともできる。ＬＥＤ光源は消費電力が小さいことから、このような点灯制御を行ったとしても燃費等に与える影響は少ない。またＬＥＤ光源は発熱量が少ないため、長時間点灯状態が継続したとしても周囲の部材に与える熱的影響も少ない。
【００２８】
次に、図３〜５を参照しながら、スライド収納装置１における照明態様について、スライドトレイ２０の場合を例に採り説明する。
まず、図３に示されるスライドトレイ２０が固定トレイ１０の格納部１１に完全に格納された状態（格納状態）では、光源ユニット４０から放出された光はスライドトレイ２０の下面２３ａを介してスライドトレイ２０に入射した後、第２の反射面２６に反射されてスライドトレイ２０内に導入される。導入された光はスライドトレイ２０内を屈折、反射を繰り返しながら進み、その一部がスライドトレイの前面に設けられた窓２９より外部放射される。その結果、スライドトレイ２０の前面にはＡＢＣの文字がアンバー色で発光表示される。このように、スライドトレイ２０が格納状態にあるときには、光源ユニット４０からの光により所望の文字の表示を行うことができ、格納状態におけるスライドトレイ２０の意匠性が高められる。また、スライドトレイ位置を容易に視認することができ、操作性も向上する。
【００２９】
次に、スライドトレイ２０を格納状態から使用状態（又は使用状態から格納状態）にスライドしている途中における照明態様を説明する。図４はスライド途中の状態を示した図であり、この状態においては光源ユニット４０からの配光を制御された光はスライドトレイ２０の下面２３ａにほぼ垂直に入射する。このように臨界角より大きな角度で入射した光はスライドトレイ２０内を進行方向を変えることなく、又はスライドトレイ内に導光されない角度で上方に進み、その実質的に全部がスライドトレイ２０の上面２３ｂから放出される。そして、固定トレイ１０の格納部１１内に至ることとなる。従って、この状態のときには光源ユニット４０からの光はスライドトレイ２０に導光せず、スライドトレイ２０を実質的に発光させない。従って、光源ユニット４０からの光は外部からほとんど観察されないこととなる。
【００３０】
続いて、スライドトレイ２０が使用状態（スライドトレイ２０が引き出された状態）にある場合の照明態様について図５を用いて説明する。この使用状態では、スライドトレイ２０は図に示した所定位置まで引き出されている。尚、固定トレイ１０には、図示しないストッパが備えられており、これによりスライドトレイ２０が所定の位置に保持されるようになっている。この使用状態においては、光源ユニット４０からの光はスライドトレイ２０の下面２３ａより入射した後、反射面２５に反射されてスライドトレイ２０内に導入される。導入された光はスライドトレイ２０内を屈折、反射を繰り返しながら前方方向に進み、その過程で一部の光がスライドトレイの表面より放出される。これにより、スライドトレイ２０の表面が光源の光（アンバー色の光）により発光表示され、その視認性が高められることとなる。また、スライドトレイの意匠性も向上する。
【００３１】
以上のように、スライドトレイ２０が格納状態のときにはスライドトレイ２０の前面に所望の文字等が発光表示され、スライドトレイ２０を格納状態から使用状態へとスライドさせているときには光源からの光はほとんど観察されず、そしてスライドトレイ２０が完全に引き出されたときにはスライドトレイ２０が発光する。即ち、スライドトレイ２０の格納状態及び使用状態の両状態においてそれぞれ特有の照明効果が得られ、スライドトレイ２０の視認性及び意匠性が高められる。また、スライドトレイ２０が使用状態になると突然発光するといった、意外性のある演出効果が奏される。しかも、これらの照明効果が光源のオンオフを介すことなく行われることから回路構成が極めて簡易なものとなる。更には、光源ユニットが固定トレイに固定されているためスライドトレイの移動に伴って光源が移動することがなく、従って簡易な構成により光源への電力を供給できることとなり信頼性及び耐久性の向上も図られる。
【００３２】
以上ではスライドトレイ２０における照明態様について説明したが、スライドトレイ３０についても同様にＬＥＤユニット４５の光による照明、発光表示が行われる。即ち、スライドトレイ２０の場合と同様に、スライドトレイ３０においても使用状態（スライドトレイ３０を引き出した状態）のときにＬＥＤユニット４５からの光が照射する位置に反射面が設けられており、当該反射面に反射された光がスライドトレイ３０内に導入され、その結果スライドトレイ３０の表面が発光する。ここでカップホルダ３２も導光体により形成すれば、カップホルダ３２にも光を導入しこれを発光表示することも可能である。一方、スライドトレイ３０を固定トレイの格納部１１に格納した状態のときにＬＥＤユニット４５からの光が照射する位置に第２の反射面が設けられており、当該第２の反射面に反射された光がスライドトレイ３０に導入されることにより、スライドトレイ３０の前面３３側に被せられた意匠ケース３８の窓３９から光が放出される。これにより、所望の形状（本実施例ではドリンクのマーク）がアンバー色に発光表示されることとなる。
【００３３】
次に、本発明の第２の局面における実施例について図６〜８を参照しながら説明する。図６は本実施例のスライド式カップホルダ２の使用状態（カップホルダトレイ６０を引き出した状態）を示した斜視図、図７は格納状態の縦断面図、及び図８は使用状態の縦断面図である。
【００３４】
図６〜図８に示されるように、カップホルダ２は自動車のセンターコンソール等に固定される固定トレイ５０、カップホルダトレイ（スライドトレイ）６０、及び光源ユニット７０から概略構成される。
固定トレイ５０はカップホルダトレイ６０を格納するための格納部５１を備える。また、固定トレイ５０の前面側には格納部５１へとつながる開口部５２が形成されており、この開口部５２を介してカップホルダトレイ６０の収納及び取り出しが行われる。
カップホルダトレイ６０はホルダ部６１及び基部６２からなる。ホルダ部６１はドリンク類を保持するための部材であってリング状に成形されており、その下部６１ａには黄色の蛍光体が含有されている。このようなホルダ部６１は、例えばその上部用の合成樹脂（例えば黒色系のＡＢＳ樹脂）と下部用の蛍光体含有樹脂（例えば蛍光体含有のＡＢＳ樹脂）との２色成形によって作製することができる。ホルダ部６１の下部６１ａに蛍光体を一様に含有させるのではなく、当該下部６１ａの表面に蛍光体層を設けてもよい。かかる蛍光体層は蛍光体塗料、インクなど、或は蛍光テープなどによって形成することができる。尚、ホルダ部６１以外の各部材は合成樹脂（例えばＡＢＳ樹脂）によって作製されている。
【００３５】
カップホルダトレイ６０の基部６２の前面部にはロック機構（図示せず）を操作するためのロック解除ボタン６３が設けられている。ここでのロック機構は突出バネ及び係止手段からなり、カップホルダトレイ６０を固定トレイ５０内に完全に格納された状態に一時的に保持する。カップホルダトレイ６０が格納された状態においてロック解除ボタンが押されれば、ロックが解除されてカップホルダトレイ６０はバネの圧縮復元力によって前方へと引き出される。尚、カップホルダトレイ６０はその底部に設置されるスライド機構（図示せず）によって固定トレイ５０に対してスライド可能に取り付けられている。
【００３６】
カップホルダトレイ６０の基部６２の後端部６２ａには導光体（第１の導光体）６４が内蔵されている。導光体６４は後端部６２ａをその底部からほぼ中央前方側へと上下に貫通するように内蔵されており、その一端の表面６４ａはカップホルダトレイ６０が使用状態（カップホルダトレイが完全に引き出された状態）のときに光源ユニット７０からの光が直接照射する位置にある。一方導光体６４の他端はその表面６４ｂがホルダ部６１に対向するよう形成されている。
【００３７】
基部６２の前端部６２ｂにも導光体（第２の導光体）６５が内蔵されている。この導光体６５は前端部６２ｂを貫通するように内蔵されており、その一端の表面はカップホルダトレイ６０が格納状態のときに光源ユニット７０からの光が直接照射する位置にある。一方、導光体６５の他端部分は基部５２の前端部６２ｂの表面から少し突出しており、ロック解除スイッチ６３を構成している。
【００３８】
光源ユニット７０はレンズを有したＬＥＤ光源７１を内蔵し、固定トレイ５０の底部の所定位置に取り付けられている。固定トレイ５０の底部において光源ユニット７０からの光が照射する部分には貫通孔５５が設けられており、この貫通孔５５を介してＬＥＤユニット７０の光が固定トレイ５０内へと入射する。本実施例ではＬＥＤ光源７１として青色系の発光色の砲弾型ＬＥＤを使用している。尚、必要に応じて所望の発光色を有するＬＥＤを採用することができる。また、異なる発光色を有するＬＥＤを複数組み合わせて用いることもできる。
ＬＥＤ光源７１は図示しない配線により電源及び制御回路に接続され、その点灯状態が制御される。本実施例では、スモールライトのオンオフに同期してＬＥＤ光源が点灯及び消灯するようにした。エンジンの始動に同期してＬＥＤ光源を点灯させ、走行中常時ＬＥＤを点灯させておくこともできる。ＬＥＤ光源は消費電力が小さいことから、このような点灯制御を行ったとしても燃費等に与える影響は少ない。またＬＥＤ光源は発熱量が少ないため、長時間点灯状態が継続したとしても周囲の部材に与える熱的影響も少ない。
【００３９】
次に、図７及び図８を参照しながら、スライド式カップホルダ２における照明態様について説明する。
まず、図７に示すようにカップホルダトレイ６０が固定トレイ５０の格納部５１に完全に格納された状態（格納状態）では、光源ユニット７０から放出された光は固定トレイ５０底部の貫通孔５５を介して固定トレイ５０内へと進行し、続いてカップホルダトレイ６０の基部前端部６２ｂ内の導光体６５の端面（入射面）に入射する。このようにして導光体６５に導入された光は導光体６５を導光し、最終的に導光体６５の前方側の端面、即ちロック解除スイッチ６３の表面から外部放射される。その結果、ロック解除スイッチ６３が青色に発光する。このように、カップホルダトレイ６０が格納状態にあるときは、カップホルダトレイ６０の基部６２に設置したロック解除スイッチ６３が所望の色で発光表示される。したがって、ロック解除スイッチ６３の位置を容易に視認するができ、その操作性が向上する。併せて青色光による装飾的ないし演出的効果が奏される。
【００４０】
続いて、カップホルダトレイ６０が使用状態（カップホルダトレイ６０が完全に引き出された状態）にあるときの照明態様について図８を用いて説明する。この使用状態のときには、カップホルダトレイ６０はストッパ機構（図示しない）によって図に示した所定位置まで引き出された状態で保持されている。この状態では光源ユニット７０から放出された光はカップホルダトレイ６０の基部後端部６２ａ内の導光体６４にその一端（入射面６４ａ）から導入される。導入された光は導光体６４を導光し、最終的に導光体６４の発光面６４ｂから外部放射される。そして外部放射された光はホルダ部６１の下部６１ａに照射し、これにより当該下部６１ａに含有された蛍光体が蛍光し、黄色の光が生ずる。その結果、この黄色の光とＬＥＤ７１の青色光とが混色した光によってホルダ部６１の下部６１ａが発光表示される。このようにホルダ部６１が光によって表示されることとなるからその位置を視認することが容易となり、ホルダ部６１にドリンク類等を収納する際の利便性が向上する。併せて装飾的ないし演出的効果が奏される。また、ＰＥＴボトルやガラス製の芳香剤、消臭剤など光透過性の容器をホルダ部６１に収納した場合においては、導光体６４を介して外部放射された光が収納物たる容器或はその内容物によって反射、透過、着色などされることにより様々な態様の光が得られる。即ち、様々な態様の光の演出が行われる。
【００４１】
尚、カップホルダトレイ６０が格納状態から使用状態（又は使用状態から格納状態）にスライドしている途中においては、ＬＥＤユニット７０から放出された光は固定トレイ５０内に貫通孔５５を介して入射するが、入射した光はカップホルダトレイ６０の基部６２の底面に遮られて固定トレイ５０の格納部５１内に留まることとなり、結果として外部への光の放射は行われない。
【００４２】
以上のように、カップホルダトレイ６０が格納状態のときにはロック解除ボタン６３が発光表示され、カップホルダトレイ６０を格納状態から使用状態へとスライドさせているときには光源ユニット７０からの光は観察されず、そしてカップホルダトレイ６０が完全に引き出されたときにはカップホルダトレイ６０のホルダ部６１が発光して観察される。換言すれば、カップホルダトレイ６０の格納状態及び使用状態の両状態においてそれぞれ特有の照明効果が得られ、スライド式カップホルダ２の視認性及び意匠性が高められる。また、カップホルダトレイ６０が使用状態になると突然発光するといった、意外性のある演出効果が奏される。しかも、これらの照明効果が光源のオンオフを介すことなく行われることから、回路構成が極めて簡易なものとなる。更には、光源ユニット７０が固定トレイ５０に固定されているためカップホルダトレイ６０の移動に伴って光源が移動することがなく、従って簡易な構成により光源への電力を供給できることとなり信頼性及び耐久性の向上も図られる。
【００４３】
続いて、本発明の第２の局面における他の実施例について図９〜図１２を参照しながら説明する。図９は本実施例のスライド式カップホルダ３の収納状態を示す斜視図、図１０は同様に使用状態（カップホルダ３が折りたたまれた状態からスライドして所定位置に固定された状態）を示す斜視図、図１１は収納状態の縦断面図、及び図１２は使用状態の縦断面図である。尚、各図面において上述の実施例と同一の部材には同一の符号を付してその説明を省略する。
【００４４】
カップホルダ３は基板８０からなる固定部、ホルダ部９０及びトレイ１００を備える可動部、並びに光源ユニット７０によって構成される。
基板８０のほぼ中央にはホルダ部９０を使用状態の位置（図１２を参照）に保持するためのストッパ部８１が形成され、一方でその下端にはトレイ１００を使用状態の位置（図１２を参照）に保持するための保持部８４が形成されている。この保持部８４の上方には左右一対の軸受８５が設けられており、これにトレイ１００の外縁部及びアーム９１の一端が回動可能に支軸８６をもって連結されている。この支軸８６には図示しないコイルばねが巻きつけられており、このコイルばねによってトレイ１００に対して図示上方にアーム９１が付勢されている。アーム９１の他端にはホルダ部９０が支軸９８によって回動可能に連結されている。支軸９８には図示しないコイルばねが巻きつけられており、このコイルばねによってアーム９１に対して図示上方にホルダ部９０が付勢されている。
以上の各コイルばねによる付勢力によって、ホルダ部９０の後端部９５が基板８０のストッパ部８１の下面に当接し、これによってホルダ部９０が所定の位置に保持される。
【００４５】
ホルダ部９０はドリンク類を保持するために馬蹄形状に成形されており、その下部９０ａには黄緑色の蛍光体が含有されている。このようなホルダ部９０、例えばその上部用の樹脂（黒色系）と下部用の蛍光体含有樹脂との２色成形によって作製することができる。ホルダ部９０の下部９０ａに蛍光体を一様に含有させるのではなく、当該下部９０ａの表面に蛍光体層を設けてもよい。このような蛍光体層は蛍光体塗料、インクなど、或は蛍光テープなどによって形成することができる。尚、ホルダ部９０以外の各部材は合成樹脂（例えばＡＢＳ樹脂）によって作製されている。
【００４６】
本実施例のカップホルダ３には、トレイ１００を収納したときにこれを基板８０に一時的に固定、保持するための係止機構が設けられている。当該係止機構は、基板８０の上端中央部に形成される係止孔８２と、使用状態のときにトレイ１００の前端側となる部分の中央に形成される係止爪１０１とからなる。係止孔８２の上方に設けられたロック解除ボタン８３を下方に押圧することによって係止状態が解除され、トレイ１００が回動して開くとともにホルダ部９０が所定の位置までスライドする。
【００４７】
基板８０の背面側において中央よりも少し下方の位置に光源ユニット７０が取り付けられている。基板８０において、光源ユニット７０の光が照射する領域８９は導光体によって形成されている。
【００４８】
トレイ１００の内側には反射部１０２が形成されている。この反射部１０２はその上面が所定の角度となるように突出した部分からなり、その表面には反射層（例えば、アルミ、銀を材料とした層）が形成されている。
【００４９】
次に、図１１及び図１２を参照しながらカップホルダ３における照明態様を説明する。
まず、図１１に示されるようにトレイ１００が基板８０に保持されてホルダ部９０が完全に格納された状態（格納状態）では、光源ユニット７０から放出された光は基板８０の導光体部分８９に入射し、次いで当該部分の前方側の表面（発光面）から放射される。格納状態ではこの発光面に対向するようにトレイ１００の反射部１０２が配置されており、従って当該発光面から放射された光は反射部１０２の上面に照射し、その進行方向が図示上方へと変換される。この上方に向かう光は最終的に基板８０の係止孔８２及びトレイ１００の係止爪１０１からなるロック機構部分に対して内側より照射する。その結果、ロック機構の係止孔８２及び係止爪１０１との隙間を介して一部の光が外部に取り出され、ロック解除ボタン８３付近が発光して観察されることとなる。これにより、ロック解除ボタン８３の位置の視認が容易となり、その操作性が向上する。また、青色光による装飾的ないし演出的効果が奏される。
【００５０】
続いて、図１２を用いてホルダ部９０が使用状態にあるときの照明態様を説明する。この状態では光源ユニット７０から放出された光は基板８０の導光体部分８９に導入された後、その発光面より前方側へと放射される。そして外部放射された光はホルダ部９０の下部９０ａに照射する。これにより当該下部９０ａに含有された蛍光体が蛍光し、黄緑色の光が生ずる。その結果、この黄緑色の光とＬＥＤ７１の青色光とが混色した光によってホルダ部９０の下部９０ａが発光表示される。このようにホルダ部９０が光によって表示されることとなるから、ホルダ部９０の位置を視認することが容易となり、ホルダ部９０にドリンク類等を収納する際の利便性が向上する。併せて装飾的ないし演出的効果が奏される。また、ＰＥＴボトルやガラス製の芳香剤、消臭剤など光透過性の容器をホルダ部９０に収納した場合においては、導光体部分８９を介して外部放射された光が収納物たる容器或はその内容物によって反射、透過、着色などされることにより様々な態様の光が得られる。即ち、様々な態様の光の演出が行われる。
【００５１】
以上のように、ホルダ部９０が格納状態のときにはロック解除ボタン８３付近が発光し、ホルダ部９０が使用状態のときにはホルダ部９０が発光表示される。即ち、ホルダ部９０の収納状態及び使用状態の両状態においてそれぞれ特有の照明効果が得られ、カップホルダ３の視認性及び意匠性が高められる。しかも、これらの照明効果が光源のオンオフを介すことなく行われることから、回路構成が極めて簡易なものとなる。更には、光源ユニット７０が基板に固定されているためホルダ部９０及びトレイ１００の移動に伴って光源が移動することがなく、従って簡易な構成により光源への電力を供給できることとなり信頼性及び耐久性の向上も図られる。
【００５２】
以上、自動車のセンターコンソールに設置されて使用されるスライド式収納装置を例に採り本発明を説明したが、本発明のスライド式収納装置の利用態様はこれに限定されるものではなく、スライド式の収納装置を取り付け可能な場所であれば、自動車のハンドル周り、ダッシュボード周り等の他、自動車以外の車両や、住宅用の収納装置にも適用できるものである。
【００５３】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【図面の簡単な説明】
【図１】図１は、本発明の一実施例であるスライド式収納装置１の格納状態を示した斜視図である。
【図２】図２は、同じくスライド式収納装置１の使用状態を示した斜視図である。
【図３】図３は、スライド式収納装置１が格納状態にあるときのスライドトレイ２０部分の断面図（図１におけるＩ−Ｉ線断面図）である。
【図４】図４は、スライド式収納装置１が格納状態から使用状態へ移行する途中のスライドトレイ２０部分の断面図である。
【図５】図５は、スライド式収納装置１が使用状態にあるときのスライドトレイ２０部分の断面図（図２におけるＩＩ−ＩＩ線断面図）である。
【図６】図６は、本発明の第２の局面における一実施例であるスライド式カップホルダ２の使用状態を示した斜視図である。
【図７】図７は、スライド式カップホルダ２の格納状態を示した縦断面図である。
【図８】図８は、スライド式カップホルダ２の使用状態を示した縦断面図である。
【図９】図９は、本発明の第２の局面における他の本実施例であるスライド式カップホルダ３の収納状態した斜視図である。
【図１０】図１０は、スライド式カップホルダ３の使用状態を示した斜視図である。
【図１１】図１１は、スライド式カップホルダ３の収納状態の縦断面図である。
【図１２】図１２は、スライド式カップホルダ３の使用状態の縦断面図である。
【符号の説明】
１  スライド式収納装置
２  ３  スライド式カップホルダ
１０  ５０  固定トレイ
１１  格納部
２０  ３０  スライドトレイ
２５  反射面
２６  第２の反射面
２８  意匠カバー
３２  カップホルダ
４０  ４５  ７０  光源ユニット
６０  カップホルダトレイ
６１  ９０  ホルダ部
６３  ８３  ロック解除ボタン
６４  導光体（第１の導光体）
６５  導光体（第２の導光体）
８０  基板
１００  トレイ
１０２  反射部
【図１】
0003672195.tif 000002
【図２】
0003672195.tif 000003
【図３】
0003672195.tif 000004
【図４】
0003672195.tif 000005
【図５】
0003672195.tif 000006
【図６】
0003672195.tif 000007
【図７】
0003672195.tif 000008
【図８】
0003672195.tif 000009
【図９】
0003672195.tif 000010
【図１０】
0003672195.tif 000011
【図１１】
0003672195.tif 000012
【図１２】
0003672195.tif 000013